(57)【要約】【課題】  景品が缶容器から脱落した場合であっても破損や汚れあるいは紛失が起こりにくく、また、騒音が発生しにくい景品ホルダーを提供する。【解決手段】  景品１を収容した状態で缶容器２に取り外し可能に取着される景品ホルダーＡに関する。天板部４とその下面に突設された周壁部１０とでキャップ体３を形成する。天板部４と周壁部１０とで囲まれる空間を景品収容空間６として形成する。景品収容空間６をキャップ体３の下面に開口することによって、キャップ体３を缶容器２の上端部に取り外し可能に装着するための装着口７を形成する。景品収容空間６に収容した景品１を装着口７から脱落しないように保持するための保持板５を景品収容空間６に取り外し可能に嵌着する。景品収容空間６に嵌着された保持板５を取り外すにあたって保持板５に引っ張り力を作用させるための操作部１２を保持板５に設ける。【選択図】  図１
0003102599.tif 000002
【実用新案登録請求の範囲】
【請求項１】
景品を収容した状態で缶容器に取り外し可能に取着される景品ホルダーであって、天板部とその下面に突設された周壁部とでキャップ体を形成し、天板部と周壁部とで囲まれる空間を景品収容空間として形成し、景品収容空間をキャップ体の下面に開口することによって、キャップ体を缶容器の上端部に取り外し可能に装着するための装着口を形成し、景品収容空間に収容した景品を装着口から脱落しないように保持するための保持板を景品収容空間に取り外し可能に嵌着し、景品収容空間に嵌着された保持板を取り外すにあたって保持板を引き出し操作するための操作部を保持板に設けて成ることを特徴とする景品ホルダー。
【請求項２】
操作部として、装着口の方に向かって起立可能な摘み片を保持板に切り起こしにより形成して成ることを特徴とする請求項１に記載の景品ホルダー。
【請求項３】
操作部として、指を差し入れて保持板を引き出し操作するための貫通孔を保持板に形成して成ることを特徴とする請求項１に記載の景品ホルダー。
【請求項４】
保持板に切り目を設け、切り目に沿って保持板の一部を押し込む乃至引っ張ることによって貫通孔を形成して成ることを特徴とする請求項３に記載の景品ホルダー。
【請求項５】
缶容器の上端部に装着するキャップ体の位置決めをするための位置決め突条をキャップ体の周壁部の内面に設け、景品収容空間に嵌着された保持板の周端部を嵌め込むための凹部を位置決め突条に設けて成ることを特徴とする請求項１乃至４のいずれかに記載の景品ホルダー。
【考案の詳細な説明】
【技術分野】
【０００１】
本考案は、ジュースやコーヒーや茶などの清涼飲料水やビールなどのアルコール飲料やその他の飲食品などを収納した缶容器に景品を付属させるための景品ホルダーに関するものである。
【背景技術】
【０００２】
従来より、商品の販売促進などの目的で景品を付属させて販売することが行なわれており、例えば、缶ジュースや缶コーヒーなどの缶容器では、缶容器の上端部にキャップ体を装着することにより缶容器の上面とキャップ体とで囲まれる空間を景品収容空間とし、この景品収容空間に景品を収容することにより缶容器に景品を付属させるようにしていた（例えば、実開平４−１３２０４０号公報や実用新案登録第３０５１８７６号公報参照）。
【０００３】
しかしながら、上記の従来例ではキャップ体が缶容器から過って外れると、景品自体もキャップ体や缶容器から脱落し、景品の破損や汚れあるいは紛失が発生し易いという問題があった。また、景品が硬質物の場合には振動により缶容器に景品が当たってカタカタと音を発し、騒音が発生するという問題があった。
【考案の開示】
【考案が解決しようとする課題】
【０００４】
本考案は上記の点に鑑みてなされたものであり、景品が缶容器から脱落した場合であっても破損や汚れあるいは紛失が起こりにくく、また、騒音が発生しにくい景品ホルダーを提供することを目的とするものである。
【課題を解決するための手段】
【０００５】
本考案の景品ホルダーＡは、景品１を収容した状態で缶容器２に取り外し可能に取着される景品ホルダーＡであって、天板部４とその下面に突設された周壁部１０とでキャップ体３を形成し、天板部４と周壁部１０とで囲まれる空間を景品収容空間６として形成し、景品収容空間６をキャップ体３の下面に開口することによって、キャップ体３を缶容器２の上端部に取り外し可能に装着するための装着口７を形成し、景品収容空間６に収容した景品１を装着口７から脱落しないように保持するための保持板５を景品収容空間６に取り外し可能に嵌着し、景品収容空間６に嵌着された保持板５を取り外すにあたって保持板５を引き出し操作するための操作部１２を保持板５に形成して成ることを特徴とするものである。
【０００６】
本考案にあっては、操作部１２として、装着口７の方に向かって起立可能な摘み片８を保持板５に切り起こしにより形成して成ることを特徴とするものである。
【０００７】
本考案にあっては、操作部１２として、指を差し入れて保持板５を引き出し操作するための貫通孔１３を形成して形成することができる。
【０００８】
本考案にあっては、保持板５に切り目２３を設け、切り目２３に沿って保持板５の一部を押し込む乃至引っ張ることによって貫通孔１３を形成することができる。
【０００９】
本考案にあっては、缶容器２の上端部に装着するキャップ体３の位置決めをするための位置決め突条９をキャップ体３の周壁部１０の内面に設け、景品収容空間６に嵌着された保持板５の周端部を嵌め込むための凹部１１を位置決め突条９に設けることができる。
【考案の効果】
【００１０】
本考案では、景品収容空間６に収容した景品１を保持板５により保持することによって、キャップ体３が缶容器２から過って脱落しても保持板５で景品１を景品収容空間６に保持した状態を維持することができ、景品１をキャップ体３や保持板５で保護して破損や汚れが発生しにくくなると共に景品１の紛失も少なくすることができるものである。また、缶容器２への取着時にあっては景品１を保持板５でキャップ体３の天板部４に押さえ付けて動きにくく保持することができ、景品１が缶容器２に当たらないようにして騒音の発生を少なくすることができるものである。さらに、保持板５を景品収容空間６から引き出し操作するための操作部１２を保持板５に設けることによって、操作部１２を利用して保持板５に容易に装着口７の方に引っ張り力を作用させることができ、景品収容空間６から保持板５を簡単に引き出して取り外すことができるものである。
【００１１】
また、操作部１２として、装着口７の方に向かって起立可能な摘み片８を保持板５に切り起こしにより形成するので、摘み片８を装着口７の方に起立させることによって、摘み片８を指先で摘みやすくなって保持板５に容易に装着口７の方に引っ張り力を作用させることができ、景品収容空間６から保持板５を簡単に引き出して取り外すことができるものである。
【００１２】
また、操作部１２として、指を差し入れて保持板５を引き出し操作するための貫通孔１３を保持板５に形成するので、貫通孔１３に指を差し入れて保持板５に容易に装着口７の方に引っ張り力を作用させることができ、景品収容空間６から保持板５を簡単に引き出して取り外すことができるものである。
【００１３】
また、保持板５に切り目２３を設け、切り目２３に沿って保持板５の一部を押し込み乃至引っ張りすることによって貫通孔１３を形成するので、簡単な操作で保持板５に貫通孔１３を形成することができ、保持板５の取り外しに手間がかからないようにすることができるものである。
【００１４】
また、位置決め突条９の凹部１１に保持板５の周端部を嵌め込んで景品収容空間６に保持板５を嵌着することによって、景品収容空間６から保持板５が不用意に外れないようにすることができ、キャップ体３の缶容器２への位置決めをする位置決め突条９を利用して保持板５による景品１の保持作用を向上させることができるものである。
【考案を実施するための最良の形態】
【００１５】
以下、本考案を実施するための最良の形態を説明する。
【００１６】
本考案の景品ホルダーＡは、缶容器２の上端部に装着可能なキャップ体３と、キャップ体３の内側に取り外し可能に嵌着される保持板５とを備えて形成されている。
【００１７】
キャップ体３はポリプロピレンなどの合成樹脂を用いて弾性変形可能な成形品に形成されるものであって、図２に示すように円盤状の天板部４と天板部４の下面に一体的に突設された円筒状の周壁部１０とを有することにより、下面が開口する断面略コ字状に形成されている。そして、天板部４と周壁部１０とで囲まれるキャップ体３の内側空間が景品収容空間６として形成されるものであり、この景品収容空間６がキャップ体３の下面において装着口７として開口されている。
【００１８】
また、キャップ体３の周壁部１０の下部内面には装着口７に臨むようにして複数個の係止突起２０が形成されている。係止突起２０は周壁部１０の周方向に沿って所定の間隔を介して並べて設けられている。また、各係止突起２０の位置に対応して周壁部１０の内面には複数本の位置決め突条９が突設されている。位置決め突条９は天板部４の下面から係止突起２０の上側近傍までの間において上下方向に長く形成されるものであって、位置決め突条９の下端と係止突起２０との間には後述の缶容器２の上端部のカシメ部２１が嵌り込み可能な間隙が設けられている。さらに、位置決め突条９にはその側面及び正面に開口する凹部１１が形成されている。
【００１９】
保持板５は厚紙等の紙で形成されるものであって、キャップ体３の内側の景品収容空間６に嵌着可能なように周壁部１０の内径と略同等あるいはやや小さめの外径を有して円盤状に形成されている。また、図３に示すように、保持板５には二つの摘み片８が切り起しにより形成されている。すなわち、保持板５に円弧状の切り目２３と切り目２３の端部間に亘って形成される折り曲げ部２４とを形成することによって、切り目２３と折り曲げ部２４とで囲まれる保持板５の一部分を摘み片８として形成するものであり、摘み片８は折り曲げ部２４で折り曲げることによって、保持板５の表面から起立可能に形成されている。この摘み片８は、景品収容空間６に嵌着された状態の保持板５に引っ張り力を作用させて引き出して取り外すための操作部１２として形成されるものである。尚、摘み片８は一片でもよいし、三片以上であってもよい。また、上記切り目２３は連続していてもよいし、ミシン目のように不連続であっても良い。
【００２０】
そして、本考案の景品ホルダーＡに景品１を収容するにあたって、次のようにして行なう。まず、図４の矢印アで示すように、キャップ体３の内側の景品収容空間６に装着口７から景品１を入れる。ここで、景品１としては何でも良いが、携帯電話のストラップなどを例示することができ、また、景品１が紐や鎖などを有する場合は袋に入れておくのが好ましい。次に、天板部４の内面（下面）に景品１を押さえ付けた状態で、矢印イに示すように装着口７から景品収容空間６に保持板５を入れ、位置決め突条９の凹部１１に保持板５の周端部を嵌め込んで係止することによって保持板５を景品収容空間６に嵌着する。この時、摘み片８は起立状態になく、保持板５の表面は略平坦である。また、キャップ体３の内側に突出している位置決め突条９や係止突起２０に引っ掛からないように、保持板５を撓ませたり保持板５の周端部の一部を変形させたりしながら、保持板５をキャップ体３の内側に入れていく。このようにしてキャップ体３の内側の景品収容空間６に保持板５を取り外し可能に嵌着することによって、保持板５と天板部４の内面との間に景品１を収容することができると共に、この景品１を天板部４の内面に保持板５で押し付けて容易に移動しないようにガタツキなく保持することができるものである。尚、キャップ体３へ景品１及び保持板５を入れる作業はキャップ体３の装着口７を上向きにして行なうのが、作業性の向上のために好ましい。また、保持板５はキャップ体３から取り外した後、再び、キャップ体３の内側に嵌着することができるようにキャップ体３に対して着脱自在に形成するのが好ましい。
【００２１】
上記のようにして景品１を収容した景品ホルダーＡは、図５に示すように、清涼飲料水を収納（缶詰）した缶容器２の上端部に取り外し可能に取着される。すなわち、景品ホルダーＡは缶容器２の上端部にキャップ体３を嵌合（外嵌）して装着することによって、缶容器２に対して着脱自在に取り付けることができる。このように缶容器２の上端部にキャップ体３を装着すると、保持板５が景品１の直下に位置することになり、これにより、景品収容空間６に収容した景品１が装着口７から脱落しないように保持することができる。また、上記のようにキャップ体３を装着すると、位置決め突条９の下端と係止突起２０との間に缶容器２の上側縁部のカシメ部２１が嵌り込み、係止突起２０がカシメ部２１の下側に係止されることになり、これにより、缶容器２から景品ホルダーＡが容易に脱落しないようにすることができる。また、上記のようにキャップ体３を装着すると、カシメ部２１の上側に位置決め突条９の下端が当接することになり、それ以上深くキャップ体３が差し込まれないように位置決めすることができるものである。尚、カシメ部２１は、缶容器２の有底筒状の容器本体２ａと、容器本体２ａの上面開口を閉塞する上蓋２ｂとを結合する際に、容器本体２ａの上端部と上蓋２ｂの周端部とを重ねて折り曲げる（かしめる）ことにより形成される突起部分である。
【００２２】
上記のように缶容器２に取着された景品ホルダーＡは、販売等により缶容器２と共に購入者の手に渡った後、景品１が取り出されるが、景品ホルダーＡから景品１を取り出すにあたっては次のようにして行なう。まず、缶容器２から景品ホルダーＡを取り外す。次に、キャップ体３の装着口７から内側に指先などを差し入れて、図６（ａ）（ｂ）に示すように、保持板５の摘み片８を装着口７の方に向かって起立させる。次に、摘み片８を指先などで摘んで保持板５に装着口７の方に向かって引っ張り力を作用させ、保持板５をキャップ体３の内側から引き抜く（引き出し操作する）ことによって、図７に矢印ウで示すように、保持板５をキャップ体３の景品収容空間６から取り外す。この時、保持板５はその周端部が凹部１１から抜けるように変形したり破損したりしながらキャップ体３から抜き取られる。この後、図７に矢印エで示すように、景品収容空間６から装着口７を通じて景品１を取り出す。このようにして購入者は景品１を手に入れることができる。
【００２３】
図８には保持板５の他例を示す。この保持板５には摘み片８が設けられておらず、その代わりに、厚み方向に貫通する二つの貫通孔１３が形成されている。そして、この保持板５においては、貫通孔１３が操作部１２として形成されている。その他の構成は図３の保持板５と同様である。この保持板５は図３のものと同様に景品収容空間６に嵌着されて景品収容空間６に収容した景品１を装着口７から脱落しないように保持するものであり、また、景品ホルダーＡから景品１を取り出すにあたっては、操作部１２である貫通孔１３に指先を差し入れて貫通孔１３の周縁部に指先を引っ掛けたり貫通孔１３の周縁部を指先で摘んだりした後、保持板５に装着口７の方に向かって引っ張り力を作用させ、保持板５をキャップ体３の内側から引き抜く（引き出し操作する）ことによって、保持板５をキャップ体３の景品収容空間６から取り外し、この後、上記と同様の作業を行なうようにする。
【００２４】
図９には保持板５の他例を示す。この保持板５には貫通孔１３が設けられておらず、その代わりに、上記貫通孔１３に該当する部分を囲うように切り目２３が形成されており、この切り目２３で囲まれた保持板５の一部が指先等で押し込み乃至引っ張りすることができるように切除部１５として形成されている。その他の構成は図８の保持板５と同様である。この保持板５は図３、８のものと同様に景品収容空間６に嵌着されて景品収容空間６に収容した景品１を装着口７から脱落しないように保持するものであり、また、景品ホルダーＡから景品１を取り出すにあたっては、指先等で切除部１５を押し込む乃至引っ張ることにより切除して貫通孔１３を形成した後、図８のものと同様にして保持板５に装着口７の方に向かって引っ張り力を作用させ、保持板５をキャップ体３の内側から引き抜く（引き出し操作する）ことによって、保持板５をキャップ体３の景品収容空間６から取り外し、この後、上記と同様の作業を行なうようにする。
【００２５】
尚、図８、９における貫通孔１３の形状は図示のものに限らず、所望の形状にすることができるが、貫通孔１３を通って景品１が景品収容空間６から脱落しないような形状及び大きさに形成するのはいうまでもない。また、図３のものにおいても摘み片８を装着口７の方に向かって起立させず、天板部４の方に向かって押し込むことによって、摘み片８を保持板５から完全に切除せずに貫通孔１３を形成することができる。
【産業上の利用可能性】
【００２６】
本考案は、清涼飲料水の缶容器２だけでなく、例えばツナ缶などの食品を収納した缶容器２にも適用することができる。
【図面の簡単な説明】
【００２７】
【図１】本考案の実施の形態の一例を示す分解斜視図である。
【図２】同上のキャップ体の一例を示す一部が破断した斜視図である。
【図３】同上の保持板の一例を示す平面図である。
【図４】同上の景品の収容を示す斜視図である。
【図５】同上の缶容器への装着状態を示す断面図である。
【図６】同上の摘み片の起立状態を示し、（ａ）は断面図、（ｂ）は平面図である。
【図７】同上の景品の取り出しを示す斜視図である。
【図８】同上の保持板の他例を示す平面図である。
【図９】同上の保持板の他例を示す平面図である。
【符号の説明】
【００２８】
１  景品
２  缶容器
３  キャップ体
４  天板部
５  保持板
６  景品収容空間
７  装着口
８  摘み片
９  位置決め突条
１０  周壁部
１１  凹部
１２  操作部
１３  貫通孔
１４  ミシン目
Ａ  景品ホルダー
【図１】
0003102599.tif 000003
【図２】
0003102599.tif 000004
【図３】
0003102599.tif 000005
【図４】
0003102599.tif 000006
【図５】
0003102599.tif 000007
【図６】
0003102599.tif 000008
【図７】
0003102599.tif 000009
【図８】
0003102599.tif 000010
【図９】
0003102599.tif 000011